(57)【要約】【課題】人物間のつながりが認識し易い人物関係図を提供する。【解決手段】つながり配置部は、複数のつながり画像を組織図に配置する場合、各つながり情報に係る関係情報と、人物に関する情報に基づいて、複数のつながり画像を、所定の方向に交差する方向に並べて配置し、つながり画像と、つながり画像が示すつながりに係る人物画像との交差箇所を識別可能に表示する。【選択図】図１４
2018200663.tif 000002
【特許請求の範囲】
【請求項１】
人物間のつながりを表示する人物関係図を提供する人物関係図提供システムにおいて、
組織を示す組織画像と組織に属する人物を示す人物画像を有する組織図を生成する組織図生成部と、
前記つながりを示すつながり情報を記憶する記憶部と、
前記記憶部に記憶されている前記つながり情報に基づいて、前記つながりを示すつながり画像を前記組織図に配置して人物関係図を生成するつながり配置部と、を備え、
前記組織図では、前記人物画像が所定の方向に並んで配置され、
前記つながり情報には、前記つながりの態様を示す関係情報と、前記人物に関する情報と、が含まれ、
前記つながり配置部は、
複数の前記つながり画像を前記組織図に配置する場合、各つながり情報に係る前記関係情報と、前記人物に関する情報に基づいて、複数の前記つながり画像を、前記所定の方向に交差する方向に並べて配置し、
前記つながり画像と、前記つながり画像が示す前記つながりに係る前記人物画像との交差箇所を識別可能に表示する
ことを特徴とする人物関係図提供システム。
【請求項２】
前記組織図は、所定の単位で区切られた複数の単位組織を有し、
一の単位組織に属する人物と、他の単位組織に属する人物とのつながりを示す前記つながり画像は、複数の前記単位組織にまたがるように表示される
ことを特徴とする請求項１に記載の人物関係図提供システム。
【請求項３】
前記関係情報には、人物間の接触態様を示すコンタクト情報と、人物に関する他人と共通し得る物事や性質を示す共通点情報の少なくともいずれか１つの情報を含む
ことを特徴とする請求項１又は請求項２のいずれか１項に記載の人物関係図提供システム。
【請求項４】
前記関係情報の内容に応じて優先度が規定され、
前記つながり配置部は、前記優先度に応じて複数の前記つながり画像を、前記組織図に配置する
ことを特徴とする請求項１又は請求項２のいずれか１項に記載の人物関係図提供システム。
【請求項５】
前記人物に関する情報の内容に応じて優先度が規定され、
前記つながり配置部は、前記優先度に応じて複数の前記つながり画像を、前記組織図に配置する
ことを特徴とする請求項１又は請求項２のいずれか１項に記載の人物関係図提供システム。
【請求項６】
前記人物に関する情報には、前記人物の役職が含まれ、
前記関係情報の内容に応じて第１の優先度が規定され、
役職に応じて第２の優先度が規定され、
前記つながり配置部は、
複数の前記つながり画像を前記組織図に配置する場合、各つながり画像が示すつながりに係る人物の最も高い役職の前記第２の優先度を比較し、前記第２の優先度の高い順に複数の前記つながり画像を配置し、
各つながり画像が示すつながりに係る人物の最も高い役職の前記第２の優先度が等しい場合は、当該役職の人物の数を比較し、当該数の多い順に複数の前記つながり画像を配置し、
各つながり画像が示すつながりに係る人物の最も高い役職の人物の数が等しい場合は、前記第１の優先度に応じて複数の前記つながり画像を配置する
ことを特徴とする請求項１又は請求項２のいずれか１項に記載の人物関係図提供システム。
【請求項７】
第１の優先度は、前記関係情報のコンタクト情報に含まれる日時情報に基づいて規定される
ことを特徴とする請求項６に記載の人物関係図提供システム。
【請求項８】
前記つながり配置部は、複数の前記つながり画像を、上下方向、左右方向又は斜め方向に並べて配置する
ことを特徴とする請求項１又は請求項２のいずれか１項に記載の人物関係図提供システム。
【請求項９】
前記つながり画像が、線、点線、矩形線又は帯状のいずれかの態様で表示される
ことを特徴とする請求項１又は請求項２のいずれか１項に記載の人物関係図提供システム。
【請求項１０】
前記つながり画像が示すつながりの種類、つながりに係る人物や人物の数に応じて、前記つながり画像の態様を変更する
ことを特徴とする請求項１又は請求項２のいずれか１項に記載の人物関係図提供システム。
【請求項１１】
人物を指定する指定部を備え、
前記つながり配置部は、前記指定部によって人物が指定されたとき、指定された人物に係るつながりを示す前記つながり画像のみを表示可能な前記人物関係図を生成する
ことを特徴とする請求項１又は請求項２のいずれか１項に記載の人物関係図提供システム。
【請求項１２】
前記人物画像を、前記つながり画像と交差させるように、複数の前記つながり画像が並ぶ方向に、伸縮させ、又は、前記人物画像の配置位置をスライドさせる
ことを特徴とする請求項１又は請求項２のいずれか１項に記載の人物関係図提供システム。
【請求項１３】
前記つながり配置部は、前記つながり画像を線状、又は、帯状に表示し、
線状に表示する場合は、前記交差箇所にマークを付し、
帯状に表示する場合は、前記交差箇所において人物画像の輪郭線を消す
ことを特徴とする請求項１又は請求項２のいずれか１項に記載の人物関係図提供システム。
【請求項１４】
前記組織図生成部は、第１の時期に係る第１の前記組織図と、第２の時期に係る第２の前記組織図と、を生成し、且つ、第１の前記組織図と第２の前記組織図とを所定の方向に並べ、両組織図における同一の人物を示す人物画像に、所定の方向に延び、これらを対応付ける対応付け画像を付加して表示する遷移組織図を生成し、
前記つながり配置部は、前記つながり画像と、前記つながり画像が示す前記つながりに係る前記人物画像の前記対応付け画像との交差箇所を識別可能に表示する
ことを特徴とする請求項１又は請求項２のいずれか１項に記載の人物関係図提供システム。
【請求項１５】
人物間のつながりを表示する人物関係図を提供する人物関係図提供装置において、
組織を示す組織画像と組織に属する人物を示す人物画像を有する組織図を生成する組織図生成部と、
前記つながりを示すつながり情報を記憶する記憶部と、
前記記憶部に記憶されている前記つながり情報に基づいて、前記つながりを示すつながり画像を前記組織図に配置して人物関係図を生成するつながり配置部と、を備え、
前記組織図では、前記人物画像が所定の方向に並んで配置され、
前記つながり情報には、前記つながりの態様を示す関係情報と、前記人物に関する情報と、が含まれ、
前記つながり配置部は、
複数の前記つながり画像を前記組織図に配置する場合、各つながり情報に係る前記関係情報と、前記人物に関する情報に基づいて、複数の前記つながり画像を、前記所定の方向に交差する方向に並べて配置し、
前記つながり画像と、前記つながり画像が示す前記つながりに係る前記人物画像との交差箇所を識別可能に表示する
ことを特徴とする人物関係図提供装置。
【発明の詳細な説明】
【技術分野】
【０００１】
本発明は、人物間のつながりを示す人物関係図（リレーションマップ）を提供する人物関係図提供装置及び人物関係図提供システムに関する。
【背景技術】
【０００２】
従来から、人物に関する情報を記憶するデータベースから人物間のつながりを抽出し、人物間のつながりを示す人物関係図（リレーションマップ）を作成するシステムが知られている。
【０００３】
データベースから人物間のつながりを抽出することに関して、例えば、特許文献１には、組織活動支援システムの人脈検索部が、クライアント端末を介する利用者の検索要求に応答し、検索条件に合致する案件情報を検索してその中の案件参加者を有識者として抽出することが記載されている。また、抽出された有識者の各々と利用者について個人情報ＤＢを検索し、利用者と少なくとも１つの共通の属性情報をもつ有識者を抽出することが記載されている。
【先行技術文献】
【特許文献】
【０００４】
【特許文献１】特開２００７−００４５０４号公報
【発明の概要】
【発明が解決しようとする課題】
【０００５】
しかしながら、特許文献１に記載の技術のように、データベースから、所定の基準で人物間のつながりを抽出し、図１に示すように、人物間を単に線で結んだ人物関係図を作成する場合、作成した人物関係図では、線が交差して、内容が把握しづらいことがある。また、人物関係図に表示される複数の人物間のつながりの内で、重要度の比較的高いつながりを認識し易くすることが望まれている。
【０００６】
本発明は、上記問題点に鑑みてなされたものであって、その主たる目的は、人物間のつながりが認識し易い人物関係図を提供することにある。
【課題を解決するための手段】
【０００７】
本発明の一側面は、人物間のつながりを表示する人物関係図を提供する人物関係図提供システムであって、組織を示す組織画像と組織に属する人物を示す人物画像を有する組織図を生成する組織図生成部と、つながりを示すつながり情報を記憶する記憶部と、記憶部に記憶されているつながり情報に基づいて、つながりを示すつながり画像を組織図に配置して人物関係図を生成するつながり配置部と、を備え、組織図では、人物画像が所定の方向に並んで配置され、つながり情報には、つながりの態様を示す関係情報と、人物に関する情報（例えば、後述の組織情報）と、が含まれ、つながり配置部は、複数のつながり画像を組織図に配置する場合、各つながり情報に係る関係情報と、人物に関する情報に基づいて、複数のつながり画像を、所定の方向に交差する方向に並べて配置し、つながり画像と、つながり画像が示すつながりに係る人物画像との交差箇所を識別可能に表示することを特徴とする。
【０００８】
本発明の一側面は、人物間のつながりを表示する人物関係図を提供する人物関係図提供装置であって、組織を示す組織画像と組織に属する人物を示す人物画像を有する組織図を生成する組織図生成部と、つながりを示すつながり情報を記憶する記憶部と、記憶部に記憶されているつながり情報に基づいて、つながりを示すつながり画像を組織図に配置して人物関係図を生成するつながり配置部と、を備え、組織図では、人物画像が所定の方向に並んで配置され、つながり情報には、つながりの態様を示す関係情報と、人物に関する情報と、が含まれ、つながり配置部は、複数のつながり画像を組織図に配置する場合、各つながり情報に係る関係情報と、人物に関する情報に基づいて、複数のつながり画像を、所定の方向に交差する方向に並べて配置し、つながり画像と、つながり画像が示すつながりに係る人物画像との交差箇所を識別可能に表示することを特徴とする。
【発明の効果】
【０００９】
本発明の人物関係図提供装置及び人物関係図提供システムでは、人物間のつながりが認識し易い人物関係図を提供することができる。
【図面の簡単な説明】
【００１０】
【図１】従来の人物関係図の一例を示す図である。
【図２】本発明の実施形態に係る人物関係図提供システムの構成の一例を示す図である。
【図３】本発明の実施形態に係るユーザー端末の構成の一例を示すブロック図である。
【図４】本発明の実施形態に係る人物関係図生成サーバーの構成の一例を示すブロック図である。
【図５】本発明の実施形態に係るデータベースサーバーの構成の一例を示すブロック図である。
【図６】本発明の実施形態に係る人物関係図生成サーバーの制御部の機能の一例を示すブロック図である。
【図７】本発明の実施形態に係るつながり情報を構成するつながりＩＤと関係情報の紐付けデータの一例を示す図である。
【図８】本発明の実施形態に係るつながり情報を構成するつながりＩＤと人物情報の紐付けデータの一例を示す図である。
【図９】本発明の実施形態に係るつながり情報を構成する人物情報と組織情報の紐付けデータの一例を示す図である。
【図１０】本発明の実施形態に係る組織情報の優先度設定テーブルの一例を示す図である。
【図１１】本発明の実施形態に係る関係情報の優先度設定テーブルの一例を示す図である。
【図１２】本発明の実施形態に係るつながり配置処理の一例を示すフローチャートである。
【図１３】本発明の実施形態に係るつながり配置処理における比較処理を説明するための図である。
【図１４】本発明の実施形態に係る人物関係図の一例を示す図である。
【図１５】本発明の実施形態の変形例１に係る人物関係図を示す図である。
【図１６】本発明の実施形態の変形例２に係る人物関係図示す図である。
【図１７】本発明の実施形態に変形例３を説明するための図であり、図１７Ａは集約表示されていない人物関係図を示し、図１７Ｂは集約表示された人物関係図を示す。
【図１８】本発明の実施形態の変形例４を説明するための図であり、図１８Ａは優先度と線の太さの紐付けデータを示し、図１８Ｂはつながりが優先度に応じた線の太さで表示された人物関係図を示す。
【図１９】本発明の実施形態の変形例５を説明するための図であり、図１９Ａは優先度と関係情報の紐付けデータを示し、図１９Ｂは人物関係図を示す。
【図２０】本発明の実施形態に係る変形例６を説明するための図であり、図２０Ａは組織情報データベースに登録されている組織情報の一例を示し、図２０Ｂは人物関係図を示す。
【発明を実施するための形態】
【００１１】
＜１．実施形態＞
本発明の実施形態に係る人物関係図提供システムについて、図２乃至図１４を参照して説明する。
【００１２】
［人物関係図提供システム］
図２は、人物関係図提供システムの構成の一例を図である。
図２に示すように、人物関係図システム１は、通信ネットワークで接続可能なユーザー端末１０と、人物関係図提供装置を構成する人物関係図生成サーバー２０と、データベースサーバー３０と、から構成されている。なお、通信ネットワークの規格としてEthernet（登録商標）などを用いることができる。以下、各装置について説明する。
【００１３】
［ユーザー端末］
図３は、ユーザー端末の構成の一例を示すブロック図である。
ユーザー端末１０は、パーソナルコンピューターやタブレット端末などのコンピューター装置であり、人物関係図生成サーバー２０から人物間のつながりを示す人物関係図を取得し、取得した人物関係図を表示する。また、ユーザー端末１０は、データベースサーバー３０に、後述する関係情報を登録する。このユーザー端末１０は、制御部１１、記憶部１５、通信Ｉ／Ｆ部１６、表示部１７、操作部１８などで構成される。
【００１４】
制御部１１は、ＣＰＵ（Central Processing Unit）１２と、ＲＯＭ（Read Only Memory）１３やＲＡＭ（Random Access Memory）１４などのメモリとで構成され、ＣＰＵ１２は、ＲＯＭ１３や記憶部１５に記憶した制御プログラムをＲＡＭ１４に展開して実行することにより、ユーザー端末１０全体の動作を制御する。例えば制御部１１（のＣＰＵ１２）は、人物関係図表示プログラムが実行し、人物関係図生成サーバー２０から受信した人物関係図（図１４参照）を表示部１７に表示する。
【００１５】
記憶部１５は、ＨＤＤ（Hard Disk Drive）やＳＳＤ（Solid State Drive）などで構成され、ＣＰＵ１２が各部を制御するためのプログラム、自装置の処理機能に関する情報などを記憶する。
【００１６】
通信Ｉ／Ｆ部１６は、ＮＩＣ（Network Interface Card）やモデムなどで構成され、ユーザー端末１０を通信ネットワークに接続する。ユーザー端末１０は、通信Ｉ／Ｆ部１６を介して、人物関係図生成サーバー２０に人物関係図の送信を要求したり、人物関係図生成サーバー２０から人物関係図を受信したりする。
【００１７】
表示部１７は、液晶表示装置（ＬＣＤ：Liquid Crystal Display）や有機ＥＬ（electroluminescence）表示装置などで構成され、例えば後述の人物関係図を表示する。
【００１８】
操作部１８は、マウス、キーボードやタッチパネルなどで構成され、例えば人物関係図生成サーバー２０やデータベースサーバー３０への各種指示や要求に係る操作を可能にする。
【００１９】
［人物関係図生成サーバー］
図４は、人物関係図生成サーバーの構成の一例を示すブロック図である。
人物関係図生成サーバー２０は、所定のタイミングでデータベースサーバー３０にアクセスし、組織情報及び関係情報に基づいてつながり情報を生成するコンピューター装置である。また、人物関係図生成サーバー２０は、組織情報及びつながり情報に基づいて、人物関係図を生成し、ユーザー端末１０の要求に応じて人物関係図を提供する。この人物関係図生成サーバー２０は、制御部２１、記憶部２５、通信Ｉ／Ｆ部２６、必要に応じて、表示部及び操作部などで構成される。
【００２０】
制御部２１は、ＣＰＵ２２と、ＲＯＭ２３やＲＡＭ２４などのメモリとで構成され、ＣＰＵ２２は、ＲＯＭ２３や記憶部２５に記憶した制御プログラムをＲＡＭ２４に展開して実行することにより、人物関係図生成サーバー２０全体の動作を制御する。
【００２１】
記憶部２５は、ＨＤＤやＳＳＤなどで構成され、ＣＰＵ２２が各部を制御するためのプログラムを記憶する。また、記憶部２５は、後述するつながり情報を記憶する。
【００２２】
通信Ｉ／Ｆ部２６は、ＮＩＣやモデムなどで構成され、人物関係図生成サーバー２０を通信ネットワークに接続し、ユーザー端末１０から人物関係図の送信要求を受信したり、データベースサーバー３０から各種情報を受信したりする。
【００２３】
［データベースサーバー］
図５は、データベースサーバーの構成の一例を示すブロック図である。
データベースサーバー３０は、ユーザー端末１０の指示に応じて、関係情報や組織情報を記憶するコンピューター装置である。また、データベースサーバー３０は、人物関係図生成サーバー２０の要求に応じて組織情報及び関係情報を提供する。このデータベースサーバー３０は、制御部３１、記憶部３５、通信Ｉ／Ｆ部３６、必要に応じて、表示部及び操作部などで構成される。
【００２４】
制御部３１は、ＣＰＵ３２と、ＲＯＭ３３やＲＡＭ３４などのメモリとで構成され、ＣＰＵ３２は、ＲＯＭ３３や記憶部３５に記憶した制御プログラムをＲＡＭ３４に展開して実行することにより、データベースサーバー３０全体の動作を制御する。
【００２５】
記憶部３５は、ＨＤＤやＳＳＤなどで構成され、ＣＰＵ３２が各部を制御するためのプログラムを記憶する。また、記憶部３５は、組織情報データベース３５ａ及び関係情報データベース３５ｂを備える。
【００２６】
組織情報データベース３５ａには、組織情報が登録される。本実施形態において、組織情報とは、人物情報（本実施形態では人名）及びこれに紐付けられた所属（会社名及び部署）、役職（例えば、社長、役員、本部長センター長、部長、課長、一般）、在社年数、年齢、影響力（大、中、小）などの項目からなる情報である。組織情報は、ユーザー端末１０を操作するユーザー（例えば、営業職の社員）によって、組織情報データベース３５ａに登録される。また、これらの項目を備えるデータを、別途管理しているデータベース（例えば、人事データベース）がある場合は、当該データベースと連携することで、組織情報データベース３５ａに組織情報を登録してもよい。例えば、組織情報として、組織情報データベース３５ａには、人物情報：Ａ及び人物情報Ａに紐づけられた所属：Ａ社Ｘセンター、役職：センター長、在社年数：３１、年齢：５２、影響力：大が登録されている。なお、組織情報として、例示したものの他、これらに準ずるものを適宜設定可能である。また、人物情報を、人名に代えて、人物を示す固有のＩＤとしてもよい。
【００２７】
関係情報データベース３５ｂには、関係情報が登録される。本実施形態において、関係情報とは、コンタクト情報と共通点情報とから構成される情報である。コンタクト情報とは、人と人が接触したことを示す情報であり、接触した人物の人物情報（人名）と、接触態様を示す情報、例えば、面談、メール、電話、会議、名刺交換と、接触した日時の情報（日時情報）と、が含まれる。コンタクト情報は、ユーザー端末１０を操作するユーザー（例えば、営業職の社員）によって、関係情報データベース３５ｂに登録される。例えば、コンタクト情報として、関係情報データベース３５ｂには、接触した人物情報（複数）：Ｅ，Ｐ，Ｑ、並びに、これに関連づけられた接触態様を示す情報：面談、及び、接触した日時：２０１７年５月２６日１７時が登録されている。なお、コンタクト情報の接触態様として、例示したものの他、これらに準ずるものを適宜設定可能である。また、日時情報において、時間の情報は省略してもよい。
【００２８】
関係情報における共通点情報とは、人物情報（人名）及びこの人物に関する他人と共通し得る物事や性質を示す情報（以下、「属性情報」と称する場合がある）である。本実施形態では、各人物について、属性情報として、例えば趣味、出身地、出身校、部活、居住地、最寄駅、友人のいずれか又は全てが登録される。共通点情報は、ユーザー端末１０を操作するユーザー（例えば、営業職の社員）によって、関係情報データベース３５ｂに登録される。例えば、共通点情報として、関係情報データベース３５ｂには、人物情報：Ａ、並びに、これに関連づけられた属性情報の種類：部活、及び、属性情報の内容：サッカーが登録される。なお、属性情報の種類としては、例示したものの他、これらに準ずるものを適宜設定可能である。
【００２９】
通信Ｉ／Ｆ部３６は、ＮＩＣやモデムなどで構成され、データベースサーバー３０を通信ネットワークに接続し、ユーザー端末１０や人物関係図生成サーバー２０との間で相互にアクセスすることを可能とする。
【００３０】
［人物関係図生成サーバーの制御部の機能］
次に、本実施形態の人物関係図生成サーバー２０の制御部２１の機能について、図６を参照して説明する。図６は、人脈情報作成サーバーの制御部の機能の一例を示すブロック図である。
本実施形態において、制御部２１は、つながり情報生成部２１ａ、つながり情報登録部２１ｂ、組織図生成部２１ｃ、つながり配置部２１ｄ及び人物関係図送信部２１ｅとして機能する。
【００３１】
つながり情報生成部２１ａは、所定のタイミングでデータベースサーバー３０にアクセスし、組織情報及び関係情報に基づいて、人物間のつながり（以下、単に「つながり」と称する場合がある）を示すつながり情報を生成する。本実施形態では、所定のタイミングとして、前回のつながり情報を生成した時点から１時間経過したときと設定されている。なお、所定のタイミングは任意に設定可能である。データベースサーバー３０が、関係情報データベース３５ｂに新たな情報が登録されたときに人物関係図生成サーバー２０にその旨を通知する場合に、上記の所定のタイミングを、人物関係図生成サーバー２０が当該通知を受けたとき、と設定してもよい。
つながり情報登録部２１ｂは、つながり情報生成部２１ａが生成したつながり情報を、記憶部２５に記憶させる。
【００３２】
組織図生成部２１ｃは、ユーザー端末１０から人物関係図生成サーバー２０に人物関係図の送信を要求されたときに、データベースサーバー３０の組織情報データベース３５ａにアクセスし、要求に応じた組織図を生成する。ここで、本実施形態では、ユーザー端末１０から人物関係図生成サーバー２０へ人物関係図の送信を要求する際、ユーザー端末１０を操作するユーザー（例えば、営業職の社員）は、ターゲットとする会社（例えば、Ａ社）を指定して、人物関係図を要求する。なお、この要求には、ユーザー端末１０から人物関係図生成サーバー２０への人物関係図を要求するための専用のプログラムを用意してもよいし、既存のウェブブラウザプログラムを利用してもよい。
【００３３】
組織図生成部２１ｃは、上記要求を受信すると、要求に付随する指定された会社に所属する人物の組織情報と、要求者の所属する会社に所属する人物の組織情報を、データベースサーバー３０の組織情報データベース３５ａから取得する。そして、所定の生成方法に基づいて組織図を生成する。組織図では、所定の単位で区切られた組織の区分、例えば会社、センター、部門のそれぞれに対応する枠が表示され、これらの枠内に、その組織に属する各人物を示す画像（後述する人物エリア）が配置される。なお、生成される組織図の詳細については、後で図１４を参照して詳細に説明する。
【００３４】
つながり配置部２１ｄは、組織図生成部２１ｃによって生成された組織図に、記憶部２５に記憶されているつながり情報に基づいて、つながりを示す画像を配置し、人物関係図を完成させるつながり配置処理を行う。つながり配置部２１ｄは、記憶部２５に複数のつながり情報が記憶されていた場合は、各つながりを示す画像を、組織情報の優先度及び関係情報の優先度に応じて配置し、組織図に配置する。本実施形態では、人物関係図（図１４参照）において、優先度が高い順に、右から左に、つながりを示す画像を配置する。なお、つながり配置処理及び完成した人物関係図の詳細については、後で図１２乃至図１４を参照して詳細に説明する。
人物関係図送信部２１ｅは、完成した人物関係図を、要求元のユーザー端末１０に送信する。
【００３５】
［つながり情報］
次に、つながり情報生成部２１ａによって生成されるつながり情報について、図７乃至図９を参照して説明する。図７は、つながり情報を構成するつながりＩＤと関係情報の紐付けデータの一例を示す図である。図８は、つながり情報を構成するつながりＩＤと人物情報の紐付けデータの一例を示す図である。図９は、つながり情報を構成する人物情報と組織情報の紐付けデータの一例を示す図である。
【００３６】
本実施形態において、つながり情報生成部２１ａによって生成されるつながり情報は、図７に示すつながりＩＤと関係情報の紐付けデータ、図８示すつながりＩＤと人物情報の紐付けデータ、及び、図９に示す人物情報と組織情報の紐付けデータから構成される。
【００３７】
つながり情報生成部２１ａは、つながり情報生成時に、データベースサーバー３０にアクセスし、関係情報データベース３５ｂに登録されている関係情報を取得する。次いで、取得した関係情報の内の各コンタクト情報について、固有なＩＤ（本実施形態では、アルファベット）であるつながりＩＤを付す。そして、つながり情報生成部２１ａは、つながりＩＤと、つながりＩＤを付したコンタクト情報の接触態様（面談、メール、電話、会議、名刺交換）とを紐付けて、図７に示すような紐付けデータを生成する。
【００３８】
また、つながり情報生成部２１ａは、取得した関係情報の内の共通点情報について、属性情報の内容（例えば属性情報の種類が「部活」の場合は「サッカー」）が共通する共通点情報をグループ化し、各グループについてつながりＩＤを付す。そして、つながり情報生成部２１ａは、つながりＩＤと、つながりＩＤを付したグループ化した共通点情報における属性情報の種類（趣味、出身地、出身校、部活、居住地、最寄駅、友人）とを紐付けて、図７に示すような紐付けデータを生成する。
【００３９】
次いで、つながり情報生成部２１ａは、図８に示すように、つながりＩＤと、つながりＩＤを付した各関係情報の人物情報及び共通点情報のグループに係る（属する）人物情報とを、紐付けたデータを生成する。
【００４０】
次いで、つながり情報生成部２１ａは、データベースサーバー３０にアクセスし、図８に示すつながりＩＤと人物情報との紐付けデータにおける各人物情報について、組織情報の役職、在社年数、年齢、影響力を取得し、図９に示すような人物情報とこれら組織情報との紐付けデータを生成する。
【００４１】
［組織情報の優先度］
次に、図１０を参照して、組織情報の優先度について説明する。図１０は、組織情報の優先度設定テーブルの一例を示す図である。
つながり配置部２１ｄは、組織図生成部２１ｃによって生成された組織図に、つながりを示す画像を配置する際に、図１０に示す組織情報の優先度設定テーブルを参照する。このテーブルでは、組織情報における役職、在社年数、年齢、影響力の各項目について、内容に応じた優先度が設定されている。優先度として設定される値は、「１」が最も高く、値が大きくなるにつれて優先度が低くなるように設定されている。
【００４２】
具体的には、図１０に示すテーブルでは、組織情報における役職について、社長に優先度が最も高い「１」が設定されている。また、同テーブルでは、社長以外の役職について、優先度の高い順に、役員、本部長、センター長、部長、課長、一般となるように、優先度が設定されている。また、組織情報における在社年数について、「３０〜」すなわち在社年数が３０年以上に、最も高い「１」が設定されている。また、同テーブルでは、「３０〜」以外の在社年数について、優先度の高い順に、「２０〜２９」（在社年数が２０〜２９年）、「１０〜１９」（在社年数が１０〜１９年）、「５〜９」（在社年数が５〜９年）、「３〜４」（在社年数が３〜４年）、「１〜２」（在社年数が１〜２年）、となるように、優先度が設定されている。
【００４３】
また、図１０に示すテーブルでは、組織情報における年齢について、「５０〜」すなわち年齢が５０歳以上に、最も高い「１」が設定されている。また、同テーブルでは、「５０〜」以外の年齢について、優先度の高い順に、「４０〜４９」（年齢が４０〜４９歳）、「３０〜３９」（年齢が３０〜３９歳）、「２０〜２９」（年齢が２０〜２９歳）、となるように、優先度が設定されている。また、組織情報における影響力について、優先度の高い順に、「大」、「中」、「小」となるように、優先度が設定されている。なお、図１０に示す組織情報の優先度設定テーブルは、本実施形態では、記憶部２５に記憶されているが、これに代えて、制御部２１のＲＯＭ２３に記憶させてもよいし、ＲＯＭ２３に記憶されているプログラム上で規定されていてもよい。
【００４４】
［関係情報の優先度］
次に、図１１を参照して、関係情報の優先度について説明する。図１１は、関係情報の優先度設定テーブルの一例を示す図である。
つながり配置部２１ｄは、組織図生成部２１ｃによって生成された組織図に、つながりを示す画像を配置する際に、図１１に示す関係情報の優先度設定テーブルを参照する。このテーブルでは、関係情報におけるコンタクト情報の接触態様（面談、メール、電話、会議、名刺交換）及び共通点情報の属性情報の種類（趣味、出身地、出身校、部活、居住地、最寄駅、友人）のそれぞれについて優先度が設定されている。優先度として設定される値は、「１」が最も高く、値が大きくなるにつれて優先度が低くなるように設定されている。
【００４５】
具体的には、図１１に示すテーブルでは、関係情報におけるコンタクト情報の接触態様の「面談」に優先度が最も高い「１」が設定されている。また、同テーブルでは、優先度の高い順に、名刺交換、電話、メール、友人、部活、出身校となるように、優先度が設定されている。なお、図１１に示すテーブルでは、出身校以降の部分の図示を省略している。なお、図１１に示す関係情報の優先度設定テーブルは、本実施形態では、記憶部２５に記憶されているが、これに代えて、制御部２１のＲＯＭ２３に記憶させてもよいし、ＲＯＭ２３に記憶されているプログラム上で規定されていてもよい。
【００４６】
［つながり配置処理］
次に、つながり配置部２１ｄが行うつながり配置処理について、図１２乃至図１３を参照して説明する。図１２は、つながり配置処理の一例を示すフローチャートである。図１３は、つながり配置処理における比較処理を説明するための図である。
つながり配置部２１ｄは、つながり配置処理を行って、組織図生成部２１ｃによって生成された組織図に、つながりを示す画像を配置し、人物関係図を完成させる。
【００４７】
以下では、つながりを、組織情報における役職の優先度又は関係情報の優先度が高い順に、人物関係図（図１４参照）の右から左に配置する場合を例に説明する。つながり配置部２１ｄは、組織図生成部２１ｃが組織図を生成すると、つながり配置処理を開始する。
【００４８】
つながり配置処理では、記憶部２５に記憶されているつながり情報における、つながりＩＤと人物情報の紐付けデータ（図８参照）と、人物情報と組織情報の紐付けデータ（図９参照）を参照し、組織図に含まれる人物に係るつながり情報を取得する。そして、図１０に示す組織情報の優先度設定テーブルに基づいて、各つながり情報が示すつながりの優先度と数（該優先度に係る人物の数）をリスト化する（Ｓ１）。
【００４９】
具体的例として、図８に示すつながりＩＤ「ａ」に係るつながりについてリスト化する例を説明する。図８に示すつながりＩＤ「ａ」には、人物情報として「Ｅ」，「Ｐ」，「Ｑ」が紐付けられている。また、図９に示すように、人物情報「Ｅ」に紐付けられた役職は「部長」である。同様に、人物情報「Ｐ」に紐付けられた役職は「部長」であり、人物情報「Ｑ」に紐付けられた役職は「一般」である。図１０に示す組織情報の優先度設定テーブルでは、「部長」の優先度は「５」、「一般」の優先度は「７」に設定されている。つながり配置部２１ｄは、これらの情報を、優先度の高い順に並べてリストを作成する。このため、ステップＳ１の処理で作成される、つながりＩＤ「ａ」に係るつながりに係るリストは、図１３に示すように、優先度「５」について数（優先度「５」に係る人物の数）「２」、優先度「７」について数「１」の順で並んだリストとなる。
【００５０】
つながり配置部２１ｄは、取得したつながり情報が示すつながりのすべてについて、リストを作成する。なお、図８に示すように、つながりＩＤ「ｂ」には、つながりＩＤ「ａ」と同様に、人物情報として「Ｅ」，「Ｐ」，「Ｑ」が紐付けられている。したがって、図１３に示すように、つながりＩＤ「ｂ」に係るつながりのリストは、つながりＩＤ「ａ」に係るつながりのリストと同様になる。
【００５１】
次いで、つながり配置部２１ｄは、作成したリストのそれぞれを比較し、つながりを示す画像の配置位置（表示順序）を決定する比較処理（Ｓ２〜Ｓ１０）を行う。比較処理において、つながり配置部２１ｄは、まず、任意の２つのリストを選択し、比較するリストにおける最も高い優先度を比較位置に設定する（Ｓ２）。
【００５２】
例えば、上述のつながりＩＤ「ａ」に係るつながりのリストと、つながりＩＤ「ｂ」に係るつながりのリストと、を比較する場合、図１３Ａに示すように、両リストの最も高い優先度「５」が比較位置として設定される。
【００５３】
次いで、つながり配置部２１ｄは、比較位置における優先度は同じか否かを判定する（Ｓ３）。比較位置における優先度が異なる場合（Ｓ３がＮＯ判定の場合）、つながり配置部２１ｄは、優先度が高い方のリストに係るつながりについて、優先度が低い方のリストに係るつながりよりも、配置位置を先の順序に設定する（Ｓ４）。すなわち、人物関係図（図１４参照）において、優先度が高い方のリストに係るつながりを示す画像を、優先度が低い方のリストに係るつながりを示す画像よりも右側に配置するように設定する。そして、ステップＳ４の処理の後、つながり配置部２１ｄは、処理を後述するステップＳ１０に移行する。
【００５４】
一方、比較位置における優先度が同じ場合（Ｓ３がＹＥＳ判定の場合）、つながり配置部２１ｄは、リストにおける比較位置の数が同じか否かを判定する（Ｓ５）。比較位置の数が異なる場合（Ｓ５がＮＯ判定の場合）、つながり配置部２１ｄは、数が多い方のリストに係るつながりについて、数が少ない方のリストに係るつながりよりも、配置位置を先の順序に設定する（Ｓ６）。すなわち、人物関係図（図１４参照）において、数が多い方のリストに係るつながりを示す画像を、数が少ない方のリストに係るつながりを示す画像よりも右側に配置するように設定する。そして、ステップＳ４の処理の後、つながり配置部２１ｄは、処理を後述するステップＳ１０に移行する。
【００５５】
一方、リストにおける比較位置の数が同じ場合（Ｓ５がＹＥＳ判定の場合）、つながり配置部２１ｄは、比較対象のリストに次の優先度があるか否かを判定する（Ｓ７）。次の優先度がある場合（Ｓ７がＹＥＳ判定の場合）は、リストの次の優先度を比較位置に設定し（Ｓ８）、ステップＳ３に移行する。
【００５６】
一方、次の優先度がない場合（Ｓ７がＮＯ判定の場合）、つながり配置部２１ｄは、つながりＩＤと関係情報の紐付けデータ（図７参照）を参照し、関係情報の優先度設定テーブル（図１１参照）に基づいて、各つながりの優先度を比較する。そして、関連情報の優先度が高い方のつながりについて、優先度が低い方のつながりよりも、配置位置を先の順序に設定する（Ｓ９）。すなわち、人物関係図（図１４参照）において、優先度が高い方のつながりを示す画像を、優先度が低い方のつながりを示す画像よりも右側に配置するように設定する。そして、ステップＳ９の処理の後、つながり配置部２１ｄは、処理を後述するステップＳ１０に移行する。
【００５７】
ステップＳ１０では、全てのリストについて、比較を行ったか否かを判定する（Ｓ１０）。比較を行っていないリストがある場合（Ｓ１０がＮＯ判定の場合）は、つながり配置部２１ｄは、比較を行っていないリストを比較対象として選択し、処理をステップＳ２に移行する。一方、全てのリストについて比較をした場合（Ｓ１０がＹＥＳ判定の場合）は、つながり配置部２１ｄは、つながり配置処理を終了する。
【００５８】
ここで、上述のつながりＩＤ「ａ」に係るリストと、つながりＩＤ「ｂ」に係るリストと、を比較する場合、図１３Ａに示すように、最初の比較位置における優先度は、「５」で同じである。また、比較位置の数も「２」で同じである。したがって、つながり配置部２１ｄは、ステップＳ８の処理で、図１３Ｂに示すように、両リストの優先度「５」の次の優先度を比較位置に設定する。そして、設定した比較位置においても、比較位置における優先度は、「７」で同じであり、比較位置の数も「１」で同じである。
【００５９】
比較対象のリストには、次の優先度がないため、つながり配置部２１ｄは、処理をステップＳ９に移行し、つながりＩＤ「ａ」に係るつながりの関係情報「面談」の優先度「１」（図１１参照）と、つながりＩＤ「ｂ」に係るつながりの関係情報「メール」の優先度「４」と、を比較する。この場合、「面談」の方が「メール」よりも優先度が高いので、つながり配置部２１ｄは、つながりＩＤ「ａ」に係るつながりについて、つながりＩＤ「ｂ」に係るつながりよりも配置位置を先の順序に設定する。すなわち、人物関係図（図１４参照）において、つながりＩＤ「ａ」に係るつながりを示す画像を、つながりＩＤ「ｂ」に係るつながりを示す画像よりも、右側に配置するように設定する。
【００６０】
［人物関係図］
次に、本実施形態の人物関係図について、図１４を参照して説明する。図１４は、人物関係図の一例を示す図である。
図１４に示す例では、本実施形態において、ユーザー端末１０を操作するユーザー（例えば、営業職の社員）が、ターゲットとする会社としてＡ社を指定して、人物関係図生成サーバー２０に、人物関係図を要求した場合に、人物関係図生成サーバー２０からユーザー端末１０に送信される人物関係図を示している。
【００６１】
図１４に示すように、この人物関係図では、組織の区分、会社、センター、部門のそれぞれに対応する枠が表示されている。下位の組織の区分を示す枠は、上位の組織の区分を示す枠内に配置されている。例えば、Ａ社について会社を示す枠Ａ内に、Ｘセンターを示す枠Ｘ及びＹセンターを示す枠Ｙが配置されている。また、枠Ｘ内には、開発部を示す枠Ｄ１及び営業部を示す枠Ｓが配置されている。また、枠Ｙ内には、開発部を示す枠Ｄ２が配置されている。また、組織図では、当該ユーザーが所属する会社（以下、「自社」を称する場合がある）を示す枠Ｂを、ターゲットとして指定したＡ社を示す枠Ａの下方に並べて表示している。また、各組織を示す枠内には、その枠が示す組織の名称が表示されている。例えば、枠Ａ内には、「Ａ社」、枠Ｘ内には、「Ｘセンター」、枠Ｄ１内には、「開発部」と表示されている。また、左右方向において、各枠を形成する左側の側辺の位置が、一致するように表示される。このため、例えば枠Ａ、枠Ｘ、枠Ｄ１、枠Ｓのそれぞれの左側の側辺の位置は一致しており、重なるように表示されている。また、各組織を示す枠内に、その組織に属する各人物を示す画像である人物エリアＰ１〜Ｐ１１が配置されている。人物エリアＰ１〜Ｐ１１には、人物情報に基づいて、人名及びその人物の役職名（「一般」以外）が表示されている。
【００６２】
また、この人物関係図は、組織図に、つながりを示す画像Ｒ１〜Ｒ６が上述のつながり配置処理で決定された順序に応じて、すなわち、組織情報における役職の優先度又は関係情報の優先度が高い順に、右から左に配置されている。ここで、画像Ｒ２は、上述のつながりＩＤ「ａ」に係るつながりを示している。また、画像Ｒ３は、上述のつながりＩＤ「ｂ」に係るつながりを示している。したがって、上述のつながり配置処理で説明したとおり、つながりＩＤ「ａ」に係るつながりを示す画像Ｒ２は、つながりＩＤ「ｂ」に係るつながりを示す画像Ｒ３よりも、右側に配置されている。
【００６３】
画像Ｒ１〜Ｒ６は、組織を示す枠を跨ぐように、上下方向に延びる線状に表示されている。画像Ｒ１〜Ｒ６の各画像には、つながりに係る人物を示す人物エリアと交差する箇所（交点）に、マークが形成されている。例えば、画像Ｒ２は、画像Ｒ２が示すつながりに係る人物の人物エリアＰ４，Ｐ９，Ｐ１０と交差する箇所に、マークｍ１，ｍ２，ｍ３が形成されている。これによって、画像Ｒ２を見る者は、画像Ｒ２が示すつながりに係る人物が、「Ｅ」，「Ｐ」，「Ｑ」であることを把握できる。
【００６４】
また、画像Ｒ１〜Ｒ６は、その画像が示すつながりに係る関係情報の種類に応じて異なる色で着色されて表示されている。すなわち、関係情報におけるコンタクト情報の接触態様（面談、メール、電話、会議、名刺交換）及び共通点情報の属性情報の種類（趣味、出身地、出身校、部活、居住地、最寄駅、友人）が識別可能なように着色されて表示されている。また、画像Ｒ１〜Ｒ６には、それぞれのつながりに係る関係情報におけるコンタクト情報の接触態様及び属性情報の種類を示す吹き出しが表示されている。なお、これらの吹き出しは、常時表示させてもよいし、ユーザー端末１０の操作部１８を操作することで人物関係図上を移動するポインターで、画像Ｒ１〜Ｒ６のいずれかが指し示されたときに、指し示された画像Ｒ１〜Ｒ６のいずれかについて、上記の吹き出しを表示させてもよい。
【００６５】
人物エリアＰ１〜Ｐ１１は、画像Ｒ１〜Ｒ６の延存方向に交差する方向（本実施形態では、左右方向）に伸びる横長の矩形状に表示されている。また、人物エリアＰ１〜Ｐ１１の左側の短辺は、その人物が所属する組織の枠の左右方向の左側の側辺に重なるように表示されている。人物エリアＰ１〜Ｐ１１の幅方向の長さは、つながり配置処理で決定される画像Ｒ１〜Ｒ６の配置位置に応じて、設定される。すなわち、人物エリアＰ１〜Ｐ１１の幅方向の長さは、それぞれが示す人物に係るつながりを示す画像Ｒ１〜Ｒ６と交差可能なように、設定される。なお、これに代えて、人物エリアＰ１〜Ｐ１１の幅方向の長さを一定にした上で、人物エリアＰ１〜Ｐ１１の表示位置を、それぞれが示す人物に係るつながりを示す画像Ｒ１〜Ｒ６と交差可能なように、スライドさせてもよい。
【００６６】
＜２．作用効果＞
上述した人物関係図提供システムによれば、図１４に示すように、人物関係図において、上下方向に延びる各つながりを示す画像Ｒ１〜Ｒ６が、右から左に、重ならないように配置される。このため、つながりを示す画像同士が交差しないので、人物関係図を見る者に、その内容を容易に把握させることができる。
【００６７】
また、上述した人物関係図提供システムによれば、人物関係図において、各つながりを示す画像Ｒ１〜Ｒ６は、組織情報の優先度及び関係情報の優先度の高い順に並べられて表示される。このため、人物関係図を見る者に、優先度の比較的高いつながり、すなわち重要度が比較的高いつながりを、認識し易くすることができる。
【００６８】
＜３．変形例＞
本発明は上述した実施形態例に限られるものではなく、特許請求の範囲に記載した本発明の要旨を逸脱しない限りにおいて、その他種々の応用例、変形例を取り得ることは勿論である。
【００６９】
［変形例１］
図１５は、変形例１に係る人物関係図を示す図である。
人物関係図生成サーバー２０は、図１４に示す人物関係図に代えて、図１５に示す人物関係図を生成して、ユーザー端末１０に提供してもよい。
【００７０】
図１５に示す人物関係図では、つながりを、図１４に示すように上下方向に延びる線状の画像Ｒ１〜Ｒ６に代えて、帯状の画像Ｒ１１〜Ｒ１６で表示している。また、画像Ｒ１１〜Ｒ１６と、つながりに係る人物を示す人物エリアとが交差する箇所を、図１４に示すマークｍ１〜ｍ３で表示することに代えて、人物エリアＰ１〜Ｐ１１を区画する枠線を消すことで表示している。すなわち、上記交差する箇所において、人物エリアを区画する枠線が消されて表示されている場合は、その人物が、交差する画像Ｒ１１〜Ｒ１６が示すつながりに関わっていることを示している。
【００７１】
［変形例２］
図１６は、変形例２に係る人物関係図を示す図である。
人物関係図生成サーバー２０は、図１４に示す人物関係図に代えて、図１６に示す人物関係図を生成して、ユーザー端末１０に提供してもよい。
【００７２】
図１６に示す人物関係図では、つながりを、図１４に示すように上下方向に延びる線状の画像Ｒ１〜Ｒ６に代えて、点線（破線）Ｒ２１、山なり線Ｒ２２又は矩形を構成する線Ｒ２３で表示している。山なり線Ｒ２２は、人物エリアとの２つの交点の間を、カーブを描いて結ぶように表示される。矩形を構成する線Ｒ２３は、人物エリアとの２つの交点の間を、これらの交点を結ぶ直線を、交点から左右方向に一定幅ずらし、且つ、ずらした直線の両端部を、それぞれ交点につなげる態様で表示される。なお、図１６では、点線Ｒ２１、山なり線Ｒ２２及び矩形を構成する線Ｒ２３を、一つの人物関係図に表示する態様を示しているが、つながり情報を示す画像として、点線Ｒ２１、山なり線Ｒ２２又は矩形を構成する線Ｒ２３のいずれかを選択し（又はユーザに選択させ）、選択した線のみを表示するようにしてもよい。
【００７３】
［変形例３］
図１７は、変形例３を説明するための図であり、図１７Ａは集約表示されていない人物関係図を示し、図１７Ｂは集約表示された人物関係図を示す。
人物関係図生成サーバー２０は、図１４に示す人物関係図に代えて、図１７に示すように集約表示可能な人物関係図を生成して、ユーザー端末１０に提供してもよい。
【００７４】
図１７Ａに示す人物関係図が、ユーザー端末１０の表示部１７で表示されている場合に、人物Ｐを指定する所定の操作、例えば、ポインターを、人物Ｐを示す人物エリアに配置した上で操作部１８（指定部）に設けられたボタンを長押しが行われた場合、図１７Ｂに示す集約表示された人物関係図が表示される。
【００７５】
図１７Ｂに示す集約表示された人物関係図では、人物Ｐが関わる、３つのつながり（いずれも接触態様が「面談」）を示す画像Ｒ３１〜Ｒ３３が集約されて表示される。また、同人物関係図では、人物情報Ｐが関わらない属性情報の種類が「部活」の２つのつながりを示す画像Ｒ３４，Ｒ３５の表示が省略される。また、つながりの表示が省略された分、人物関係図の幅方向のサイズが、図１７Ａに示す人物関係図に比べて、小さくなる。これによって、ユーザーが関心のある人物に関わるつながりの把握が容易になる。また、必要な情報が表示された人物関係図を省スペースに表示できる。
【００７６】
［変形例４］
図１８は、変形例４を説明するための図であり、図１８Ａは優先度と線の太さの紐付けデータを示し、図１８Ｂはつながりが優先度に応じた線の太さで表示された人物関係図を示す。
人物関係図生成サーバー２０は、図１４に示す人物関係図に代えて、図１８Ｂに示すように、つながりを示す画像を優先度に応じた線の太さで表示する人物関係図を、ユーザー端末１０に提供してもよい。
【００７７】
図１８Ａに示すテーブルでは、図１１に示す関係情報の優先度設定テーブルで規定されている各種関係情報の優先度に応じて、線状に表示されるつながりを示す画像の線の太さが規定されている。線の太さは、優先度１〜６の順で太くなるように設定されている。なお、図１８Ａに示すテーブルは、本実施形態では、記憶部２５に記憶されているが、これに代えて、制御部２１のＲＯＭ２３に記憶させてもよいし、ＲＯＭ２３に記憶されているプログラム上で規定されていてもよい。
【００７８】
本変形例において、人物関係図生成サーバー２０は、人物関係図を生成する際に、図１８Ａで示すテーブルを参照し、つながりを示す画像を、図１１に示すテーブルで規定された線の太さで、図１８Ｂのように表示する。
【００７９】
なお、図１１に示す関係情報の優先度設定テーブルで規定されている各種関係情報の優先度に応じて線の太さを変えて表示することに代えて、つながりに関わる人物の数や、図１０に示すテーブルで規定される人物の組織情報に対応した優先度に応じて線の太さを変えて表示してもよい。例えば、係る人物の数が３のつながりと、係る人物の数が２のつながりがある場合は、係る人物の数が３のつながりを示す画像を比較的太く表示してもよい。また、つながりに係る人物情報の内で、最も上位の役職を比較して、役職の高い人物情報が係るつながりを示す画像を比較的太く表示してもよい。
【００８０】
［変形例５］
図１９は、変形例５を説明するための図であり、図１９Ａは優先度と関係情報の紐付けデータを示し、図１９Ｂは人物関係図を示す。なお、図１９Ｂでは、組織の枠の表示を省略している。
人物関係図生成サーバー２０は、図１４に示す人物関係図に代えて、図１９Ｂに示すように、つながりを示す画像を枠状に表示した人物関係図を、ユーザー端末１０に提供してもよい。
【００８１】
図１９Ａに示すテーブルは、図１１に示すテーブルに代えて用いられるテーブルであり、関係情報の種類に応じて優先度が規定されている。優先度は、「名刺交換」、「電話」、「友人」、「出身校」の順で優先度が高く設定されている。なお、説明を簡潔にするために、図１９Ａに示すテーブルでは、４種類の関係情報についての優先度を規定しているが、他の種類の関係情報（例えば、部活）について、同テーブルで優先度を規定してもよい。
【００８２】
本変形例において、人物関係図生成サーバー２０は、つながりを、図１４に示すように上下方向に延びる線状の画像Ｒ１〜Ｒ６に代えて、つながりに関わる人物の人物エリアを囲む枠ｆ１〜ｆ４で表示する。
【００８３】
本変形例において、人物関係図生成サーバー２０は、図１９Ａで示すテーブルを参照し、つながりを示す枠ｆ１〜ｆ４の幅方向の長さを、同テーブルで規定されている優先度に応じて、優先度の高い順で、長くなるように設定し、図１９Ｂに示すような人物関係図を生成する。
【００８４】
なお、つながりを示す枠の形状は、つながりに係る人物の人物エリアを囲む形状であれば任意に設定可能である。例えば、ｆ１，ｆ２のように四角枠状に設定してもよいし、ｆ３，ｆ４のような形状に設定してもよい。
【００８５】
［変形例６］
図２０は、変形例６を説明するための図であり、図２０Ａは組織情報データベースに登録されている組織情報の一例を示し、図２０Ｂは人物関係図を示す。なお、図２０Ｂでは、自社の組織の枠の表示を省略している。
人物関係図生成サーバー２０は、図１４に示す人物関係図に代えて、図２０に示すように、人物関係図を、ユーザー端末１０に提供してもよい。
【００８６】
本変形例の人物関係図を提供する場合、データベースサーバー３０の組織情報データベース３５ａには、図２０Ａに示すような組織情報が登録されている。すなわち、本変形例における組織情報は、上述した人物情報及びこれに紐付けられた所属、役職、在社年数、年齢、影響力に加えて当該組織情報を生成した日付（生成日）からなる。
【００８７】
組織図生成部２１ｃは、ユーザー端末１０から人物関係図生成サーバー２０に人物関係図の送信を要求されたときに、データベースサーバー３０の組織情報データベース３５ａにアクセスし、要求に応じた組織図を生成する。組織図生成部２１ｃは、上記要求を受信すると、要求に付随する指定された会社に所属する人物の組織情報と、要求者の所属する会社に所属する人物の組織情報を、データベースサーバー３０の組織情報データベース３５ａから取得する。そして、取得した組織情報の生成日に基づいて、所定の期間ごとの組織図を生成する。本変形例において、所定の期間は、毎年１月１日から１２月３１日までの期間である。また、本変形例では、組織図生成部２１ｃは、本年（例えば２０１７年）を含む３年間のそれぞれの年における組織図を生成し、左右方向に並べて新しい順に右から表示する遷移組織図を生成する。図２０Ｂに示す例では、２０１７年１月１日から１２月３１日までの組織情報に基づく組織図の下方に「現世代」と表示している。同様に２０１６年１月１日から１２月３１日までの組織情報に基づく組織図の下方に「２世代」、２０１７年１月１日から１２月３１日までの組織情報に基づく組織図の下方に「１世代」という文字列を表示している。
【００８８】
また、組織図生成部２１ｃは、組織図生成部２１ｃは、遷移組織図を生成する際、３つの組織図に共通する単位組織（会社、センター、部署）の上下方向の位置が一致するように、並べる。
【００８９】
また、組織図生成部２１ｃは、各組織図の同一人物を示す人物エリアを帯状の画像である異動線（対応付け画像）で結ぶ。すなわち、人物エリアに異動線を付加して表示する。図２０Ｂに示すように、２世代と現世代の組織図の間に表示された人物「Ｄ」を示す人物エリアの異動線ｔ１、人物「Ｇ」を示す人物エリアの異動線ｔ２及び人物「Ｃ」を示す人物エリアの異動線ｔ３のように、組織図間の異動線が水平に延びている場合、この異動線で結ばれている（付加された）人物エリアが示す人物に異動がなかったことを示している。一方、１世代と２世代の組織図の間に表示された人物「Ｃ」を示す人物エリアの異動線ｔ４のように斜めに延びている場合、この異動線で結ばれている（付加された）人物エリアが示す人物に異動があったことを示している。なお、異動を示す異動線は、他の異動線と異なる色で表示され、識別可能となっている。
【００９０】
本変形例においては、２世代の組織図と現世代の組織図間に延存する異動線を、上述した変形例１で説明した帯状のつながり画像で結び、つながりに係る人物の異動線の枠線を消して表示する。これによって、異動線から分岐した帯状のつながり画像で、人物間のつながりを表示できる。図２０Ｂに示す人物関係図を見た者は、人物Ｄ，Ｇ，Ｃが面談を行ったことが把握できる。なお、図２０Ｂでは、一つのつながり画像のみを表示した例を説明したが、複数のつながり画像を表示する場合は、上述の実施形態で説明したつながり配置処理に応じた順序でつながり画像を表示する。
【００９１】
［その他の変形例］
上述の実施形態では、つながりを示す画像Ｒ１〜Ｒ６を、各つながりに係る組織情報における「役職」の優先度に応じて配置する態様を説明した。しかしながら、これに代えて、各つながりに係る組織情報における「在社年数」、「年齢」又は「影響力」の優先度に応じて、配置してもよい。
【００９２】
また、上述の実施形態では、つながりを示す画像Ｒ１〜Ｒ６を、関係情報におけるコンタクト情報の接触態様（面談、メール、電話、会議、名刺交換）及び共通点情報の属性情報の種類（趣味、出身地、出身校、部活、居住地、最寄駅、友人）のそれぞれに設定されている優先度に応じて配置する態様を説明した。しかしこれに代えて、コンタクト情報における接触した日時の情報に応じて優先度を設定してもよい。例えば、接触した日時の情報が現在の日時に近いほど優先度が高くなるように設定してもよい。
【００９３】
また、上述の実施形態では、組織図において、所定の組織の区分、例えば会社、センター、部門などの単位組織を示す枠を、同等の区分の単位組織を示す枠が上下方向に並ぶように配置した例を説明した。しかしこれに代えて、複数の単位組織を示す枠、例えば会社を示す枠を、左右方向に並べてもよいし、斜め方向に並べてもよい。例えば、会社を示す枠を、左右方向に並べた場合、会社よりも下位の単位組織（センターや部門）を示す枠及び各組織に属する人物エリアを上下方向に延びる矩形状に表示し、つながりを示すつながり画像を左右方向に延びる線状に表示すればよい。
【００９４】
また、人物関係図生成サーバー２０は、上述の実施形態及び変形例１乃至６の表示形態を選択可能な画面をユーザー端末１０に提供し、ユーザーの選択に応じて、人物関係図の表示態様を決定してもよい。
【００９５】
また、上述したつながり配置処理における図１０，図１１の各テーブルで設定された優先度の比較方法は、適宜変更可能である。例えば、上述の比較処理における数の比較を省略してもよい。また、図１０，図１１の各テーブルで規定された優先度は適宜変更可能である。例えば、ユーザー端末１０を操作する人物関係提供システムの管理者が人物関係図生成サーバー２０にアクセスして、これら比較方法や各テーブルの優先度を更新してもよい。
【００９６】
また、本明細書において、時系列的な処理を記述する処理ステップは、記載された順序に沿って時系列的に行われる処理はもちろん、必ずしも時系列的に処理されなくとも、並列的あるいは個別に実行される処理（例えば、並列処理あるいはオブジェクトによる処理）をも含むものである。
【００９７】
また、上述した実施形態や変形例は本発明を分かりやすく説明するために装置及びシステムの構成を詳細且つ具体的に説明したものであり、必ずしも説明した全ての構成を備えるものに限定されるものではない。また、実施形態及び複数の変形例の説明に記載した各種技術的事項を、矛盾しない範囲で、適宜組み合わせて採用することも可能である。
【符号の説明】
【００９８】
１…人物関係図提供システム、  １０…ユーザー端末、  １１…制御部、  １７…表示部、  １８…操作部、  ２０…人物関係図生成サーバー、  ２１…制御部、  ２２…ＣＰＵ、  ２３…ＲＯＭ、  ２４…ＲＡＭ、  ２５…記憶部、  ２６…通信Ｉ／Ｆ部、  ３０…データベースサーバー
【図１】
2018200663.tif 000003
【図２】
2018200663.tif 000004
【図３】
2018200663.tif 000005
【図４】
2018200663.tif 000006
【図５】
2018200663.tif 000007
【図６】
2018200663.tif 000008
【図７】
2018200663.tif 000009
【図８】
2018200663.tif 000010
【図９】
2018200663.tif 000011
【図１０】
2018200663.tif 000012
【図１１】
2018200663.tif 000013
【図１２】
2018200663.tif 000014
【図１３】
2018200663.tif 000015
【図１４】
2018200663.tif 000016
【図１５】
2018200663.tif 000017
【図１６】
2018200663.tif 000018
【図１７】
2018200663.tif 000019
【図１８】
2018200663.tif 000020
【図１９】
2018200663.tif 000021
【図２０】
2018200663.tif 000022